【手続補正書】
【提出日】平成17年8月26日(2005.8.26)
【手続補正１】
【補正対象書類名】特許請求の範囲
【補正対象項目名】全文
【補正方法】変更
【補正の内容】
【特許請求の範囲】
【請求項１】
糸巻ドラムを収納するドラム収納部に握持可能な連設部を設け、この連設部内に前記糸巻ドラムから引き出した墨糸を案内外出する引出案内部を設けると共に、この引出案内部により案内される墨糸に墨汁を付着させる墨汁含浸材を収納する墨付部を設けて、前記引出案内部に設けた糸通し部に墨糸を通して前記糸巻ドラムから引き出した墨糸を案内外出させながら、前記墨付部の墨汁含浸材に案内接触させることにより墨糸に墨汁を付着させるように構成した墨壷において、前記引出案内部並びに前記墨付部を開放する開閉蓋を前記握持可能な連設部に起伏開閉自在に枢着し、この開閉蓋を開放することで前記引出案内部の糸通し部が開放して、この糸通し部の開放部から前記糸通し部を通って案内される墨糸を取り出し・装着自在に構成し、前記開閉蓋の裏面部に墨汁含浸材を設けると共に、この墨汁含浸材を脱落しないように支持する脱落防止ストッパ部を設け、この開閉蓋の上面部に押しボタンを設け、この押しボタンを押して押しボタンに連設した押圧材を押動降下させることで、墨汁含浸材と墨糸とを押し付け当接させて墨汁を墨糸に良好に付着させるように押しボタンを構成したことを特徴とする墨壷。
【請求項２】
前記握持可能な連設部の外面部を前記開閉蓋に構成してこの連設部内に設けた前記墨付部をこの開閉蓋により開閉自在に設け、この連設部の少なくとも先端部に、前記糸巻ドラムから引き出した前記墨糸を連設部外へ外出する外出孔となる前記糸通し部を設けて前記引出案内部を構成し、前記開閉蓋を開放することで前記墨付部が開放すると共に、前記糸通し部が開放するように構成し、この糸通し部の開放部から前記墨糸を取り出し・装着できるように構成して、糸通し部に墨糸を墨付部の内側から連設部の外側へと突き通し配設せずとも、開閉蓋を開放することで開放部から墨糸を糸通し部に通し配設し得るように構成したことを特徴とする請求項１記載の墨壷。
【請求項３】
前記墨付部の前記糸巻ドラム側の基端部と前記連設部の先端側の先端部とに夫々前記糸通し部を設けて、前記糸巻ドラムから引き出した前記墨糸をこの各糸通し部に通し配設することで前記墨付部を通って案内外出されるように前記引出案内部を構成し、前記開閉蓋を開放することで前記墨付部が開放すると共に、前記各糸通し部が開放するように構成したことを特徴とする請求項１記載の墨壷。
【請求項４】
前記連設部の上面部に設けた前記開閉蓋を開放することで前記連設部内の前記墨付部の上方が開放するように構成し、この開放した墨付部の周壁部に上縁から下方にスリットや凹溝などの位置決め凹部を形成して前記引出案内部の糸通し部を形成し、この開閉蓋を開放した際の糸通し部に、前記糸巻ドラムから引き出した墨糸を上方から挿入して通し配設し得るように構成したことを特徴とする請求項２，３のいずれか１項に記載の墨壷。
【請求項５】
前記開閉蓋の裏面部に、前記墨付部に引き出し案内された墨糸に接触する前記墨汁含浸材、又は前記墨付部内に配した前記墨汁含浸材に接触案内される墨糸をこの墨汁含浸材に押圧する前記押圧材を設けたことを特徴とする請求項１〜４のいずれか１項に記載の墨壷。
【請求項６】
前記連設部の上面部に前記開閉蓋を設け、この開閉蓋を開放することで前記連設部に設けた前記墨付部の上方が開放するように構成し、前記開閉蓋を開放することで開放するこの墨付部に前記墨汁含浸材を収納し、この墨汁含浸材の上面部に前記墨糸が前記引出案内部の糸通し部によって引出案内されるように構成し、前記開閉蓋の裏面にも前記墨汁含浸材を配設して、開閉蓋を閉塞した際墨糸が上下の墨汁含浸材に挟持接触するように構成し、開閉蓋を開放した際墨糸が露出するように構成したことを特徴とする請求項１〜５のいずれか１項に記載の墨壷。
【請求項７】
少なくとも前記開閉蓋による開放側を開放して前記糸巻ドラムを露出するカバー部を前記ドラム収納部に開閉自在に設け、このカバー部を開放して露出したドラム収納部内の糸巻ドラムから墨糸の引出端を引き出し、この墨糸を前記開閉蓋を開放して開放した前記連設部内の引出案内部の糸通し部に開放側から装着して通し配設し、ドラム収納部の内側から墨付部の内側へ並びに墨付部の内側から連設部の外側へ貫通配設せずとも、ドラム収納部のカバー部及び開閉蓋を開放することで糸通し部に開放側から装着してドラム収納部から引き出す墨糸を墨付部を通って外側へ案内外出できるように構成したことを特徴とする請求項１〜６のいずれか１項に記載の墨壷。
【手続補正２】
【補正対象書類名】明細書
【補正対象項目名】全文
【補正方法】変更
【補正の内容】
【発明の詳細な説明】
【発明の名称】墨壷
【技術分野】
【０００１】
本発明は、大工や石工などが木材や壁や床や石材などに墨線を引くために使用するハンドタイプの墨壷に関する。
【背景技術】
【０００２】
この種ハンドタイプの墨壷には、棒状の糸通し体が付属しているものがある（特許文献１参照。）。
【０００３】
この糸通し体は、墨糸が切れたり、墨糸がカルコから外れたりして墨糸が糸巻ドラムに全部巻かれてしまったときに、墨糸を元通りに配設し直すためのものであり、特に自動巻き取りタイプの墨壷においては非常に役立つものである。
【０００４】
使用方法を説明すると、先ず、ドラム収納部を分解して糸通し体に墨糸を巻き付け、墨付部の開閉部を開放して墨汁含浸材を取り出す。
【０００５】
次いで、例えば、糸通し体の一端の糸通し孔を墨壷本体の先端部のカルコ収納口の糸通し穴に挿入し、墨付部，ドラム収納部との連通孔の順に経由させてドラム収納部内に糸通し孔を位置させ、この糸通し孔に、糸巻ドラムに巻回された墨糸の先端部を通し、カルコ収納口から墨壷本体の外側に糸通し体を引き抜くと、墨糸が糸通し体と共に連通孔，墨付部を通過した後墨壷本体の外部に引き出されることになる。
【０００６】
後は、墨糸の先端部をカルコに連結することで墨糸は元通りに配設されることになる。
【０００７】
【特許文献１】特許第３０６９５２７号公報
【発明の開示】
【発明が解決しようとする課題】
【０００８】
ところが、この糸通し体を使用して糸を配設し直すことは、糸通し穴が小さいために糸通し体を墨壷本体内に挿入することが非常に厄介であり、容易な作業ではなかった。
【０００９】
本発明は、このような従来の墨壷の問題点に注目し、これを解決しようとするもので、糸通し体を要することなく墨壷本体への糸通し作業を容易に行うことができる画期的な墨壷を提供することが技術的課題である。
【課題を解決するための手段】
【００１０】
添付図面を参照して本発明の要旨を説明する。
【００１１】
糸巻ドラム１を収納するドラム収納部２に握持可能な連設部７を設け、この連設部７内に前記糸巻ドラム１から引き出した墨糸３を案内外出する引出案内部４を設けると共に、この引出案内部４により案内される墨糸３に墨汁を付着させる墨汁含浸材５を収納する墨付部６を設けて、前記引出案内部４に設けた糸通し部４Ａに墨糸３を通して前記糸巻ドラム１から引き出した墨糸３を案内外出させながら、前記墨付部６の墨汁含浸材５に案内接触させることにより墨糸３に墨汁を付着させるように構成した墨壷において、前記引出案内部４並びに前記墨付部６を開放する開閉蓋８を前記握持可能な連設部７に起伏開閉自在に枢着し、この開閉蓋８を開放することで前記引出案内部４の糸通し部４Ａが開放して、この糸通し部４Ａの開放部から前記糸通し部４Ａを通って案内される墨糸３を取り出し・装着自在に構成し、前記開閉蓋８の裏面部に墨汁含浸材５を設けると共に、この墨汁含浸材５を脱落しないように支持する脱落防止ストッパ部18を設け、この開閉蓋８の上面部に押しボタン20を設け、この押しボタン20を押して押しボタン20に連設した押圧材を押動降下させることで、墨汁含浸材５と墨糸３とを押し付け当接させて墨汁を墨糸３に良好に付着させるように押しボタン20を構成したことを特徴とする墨壷に係るものである。
【００１２】
また、前記握持可能な連設部７の外面部を前記開閉蓋８に構成してこの連設部７内に設けた前記墨付部６をこの開閉蓋８により開閉自在に設け、この連設部７の少なくとも先端部に、前記糸巻ドラム１から引き出した前記墨糸３を連設部７外へ外出する外出孔となる前記糸通し部４Ａを設けて前記引出案内部４を構成し、前記開閉蓋８を開放することで前記墨付部６が開放すると共に、前記糸通し部４Ａが開放するように構成し、この糸通し部４Ａの開放部から前記墨糸３を取り出し・装着できるように構成して、糸通し部４Ａに墨糸３を墨付部６の内側から連設部７の外側へと突き通し配設せずとも、開閉蓋８を開放することで開放部から墨糸３を糸通し部４Ａに通し配設し得るように構成したことを特徴とする請求項１記載の墨壷に係るものである。
【００１３】
また、前記墨付部６の前記糸巻ドラム１側の基端部と前記連設部７の先端側の先端部とに夫々前記糸通し部４Ａを設けて、前記糸巻ドラム１から引き出した前記墨糸３をこの各糸通し部４Ａに通し配設することで前記墨付部６を通って案内外出されるように前記引出案内部４を構成し、前記開閉蓋８を開放することで前記墨付部６が開放すると共に、前記各糸通し部４Ａが開放するように構成したことを特徴とする請求項１記載の墨壷に係るものである。
【００１４】
また、前記連設部７の上面部に設けた前記開閉蓋８を開放することで前記連設部７内の前記墨付部６の上方が開放するように構成し、この開放した墨付部６の周壁部60Ａに上縁から下方にスリットや凹溝などの位置決め凹部を形成して前記引出案内部４の糸通し部４Ａを形成し、この開閉蓋８を開放した際の糸通し部４Ａに、前記糸巻ドラム１から引き出した墨糸３を上方から挿入して通し配設し得るように構成したことを特徴とする請求項２，３のいずれか１項に記載の墨壷に係るものである。
【００１５】
また、前記開閉蓋８の裏面部に、前記墨付部６に引き出し案内された墨糸３に接触する前記墨汁含浸材５、又は前記墨付部６内に配した前記墨汁含浸材５に接触案内される墨糸３をこの墨汁含浸材５に押圧する前記押圧材を設けたことを特徴とする請求項１〜４のいずれか１項に記載の墨壷に係るものである。
【００１６】
また、前記連設部７の上面部に前記開閉蓋８を設け、この開閉蓋８を開放することで前記連設部７に設けた前記墨付部６の上方が開放するように構成し、前記開閉蓋８を開放することで開放するこの墨付部６に前記墨汁含浸材５を収納し、この墨汁含浸材５の上面部に前記墨糸３が前記引出案内部４の糸通し部４Ａによって引出案内されるように構成し、前記開閉蓋８の裏面にも前記墨汁含浸材５を配設して、開閉蓋８を閉塞した際墨糸３が上下の墨汁含浸材５に挟持接触するように構成し、開閉蓋８を開放した際墨糸３が露出するように構成したことを特徴とする請求項１〜５のいずれか１項に記載の墨壷に係るものである。
【００１７】
また、少なくとも前記開閉蓋８による開放側を開放して前記糸巻ドラム１を露出するカバー部９を前記ドラム収納部２に開閉自在に設け、このカバー部９を開放して露出したドラム収納部２内の糸巻ドラム１から墨糸３の引出端を引き出し、この墨糸３を前記開閉蓋８を開放して開放した前記連設部７内の引出案内部４の糸通し部４Ａに開放側から装着して通し配設し、ドラム収納部２の内側から墨付部６の内側へ並びに墨付部６の内側から連設部７の外側へ貫通配設せずとも、ドラム収納部２のカバー部９及び開閉蓋８を開放することで糸通し部４Ａに開放側から装着してドラム収納部２から引き出す墨糸３を墨付部６を通って外側へ案内外出できるように構成したことを特徴とする請求項１〜６のいずれか１項に記載の墨壷に係るものである。
【発明の効果】
【００１８】
本発明は上述のように構成したから、従来例のような糸通し体は不要で、単に開閉蓋を開放することで、糸巻ドラムから取り出した墨糸を糸通し部へ配設することができる糸通し作業が容易な極めて実用性に秀れた画期的な墨壷となる。
【００１９】
特に、糸巻ドラムに墨糸を巻き取るときに墨糸が切断されたりカルコが外れたりすることが比較的多い自動巻取式の墨壷に本発明を適用すれば、糸巻ドラムに巻き取られた墨糸を通し配設し直す作業を上記のようにして極めて容易に行うことができるので、非常に有効である。
【００２０】
また、前記開閉蓋の裏面部に墨汁含浸材を設けると共に、この墨汁含浸材を脱落しないように支持する脱落防止ストッパ部を設けたため、開閉蓋を開放して墨糸を引出案内部に配設する際には墨糸の上方に位置する墨汁含浸材が引出案内部を覆ったまま邪魔となることがないので、糸通し作業に際し墨汁含浸材を手で取り出す作業は不要となってそれだけ作業が簡易化すると共に手を墨で汚してしまうこともなく、しかも、この開閉蓋の上面部に押しボタンを設け、この押しボタンを押して押しボタンに連設した押圧材を押動降下させることで、墨汁含浸材と墨糸とを押し付け当接させて墨汁を墨糸に良好に付着させるように押しボタンを構成したから、墨糸に確実に墨汁を付着させることができる極めて実用性に秀れた墨壷となる。
【００２１】
また、請求項２記載の発明においては、上記作用・効果を確実に発揮でき、しかも、開閉蓋の開放によって連設部内の糸通し部と墨付部とが同時に開放する構成を簡易に設計実現可能となる秀れた構成の墨壷となる。
【００２２】
また、請求項３記載の発明においては、墨糸を確実に墨付部に案内して墨を良好に付着させる構成を簡易に設計実現可能となる一層実用性に秀れた墨壷となる。
【００２３】
また、請求項４記載の発明においては、開閉蓋の開放によって開放する糸通し部を簡易に設計実現可能となり、しかも、単に墨付部の上方から墨糸を糸通し部の開放部に挿入することで通し配設できるため、墨付部内に収納された墨汁含浸材に触れないようにして墨糸通し作業を容易に行うことができるなど、極めて実用性・操作性に秀れた墨壷となる。
【００２４】
また、請求項５記載の発明においては、墨糸に確実に墨を付着させることができる一層実用性に秀れた墨壷となる。
【００２５】
また、請求項６記載の発明においては、墨汁含浸材が墨糸に対して挟持接触して良好に墨汁を付着することができるし、開閉蓋を開放して墨糸を引出案内部に配設する際には墨糸の上方に位置する墨汁含浸材が引出案内部を覆ったまま邪魔となることがないので、糸通し作業に際し従来例のような墨汁含浸材を手で取り出す作業は不要となってそれだけ作業が簡易化すると共に手を墨で汚してしまうこともないなど、一層実用性に秀れた墨壷となる。
【００２６】
また、請求項７記載の発明においては、カバー部を開放して糸巻ドラムを露出すると共に開閉蓋を開放することで極めて容易に糸通し作業を行うことができる一層実用性に秀れた構成の墨壷となる。
【発明を実施するための最良の形態】
【００２７】
好適と考える本発明の最良の形態（発明をどのように実施するのが最良か）を、図面に
基づいて本発明の作用効果を示して簡単に説明する。
【００２８】
開閉蓋８を開放すると、連設部７内に設けた引出案内部４の糸通し部４Ａが開放し、この糸通し部４Ａの開放部から糸通し部４Ａを通って案内されている墨糸３を取り出したり、逆に、糸通し部４Ａの開放部から墨糸３をこの糸通し部４Ａに装着したりすることが可能となる。
【００２９】
従って、墨糸３が切れたり、墨糸３からカルコ10が外れたりして墨糸３が糸巻ドラム１に全部巻かれてしまった場合には、例えば、ドラム収納部２を開放すると共に開閉蓋８を開放し、この開放した糸巻ドラム１から墨糸３の先端部を引き出し、この引き出した墨糸３を開閉蓋８の開放によって開放する糸通し部４Ａの開放部から糸通し部４Ａに装着して簡単に墨糸３を元通りに配設し直すことができる。次いで、ドラム収納部２を閉塞すると共に開閉蓋８を閉塞することで、糸通し部４Ａも閉塞して墨糸３は取り出し不能状態となり、糸通し作業が完了する。
【００３０】
よって、本発明によれば、糸通し体を使用する従来例のように厄介な糸通し作業を要することなく、単に、開閉蓋８を開放することで糸通し部４Ａへの糸通し作業を極めて容易に行うことができる。
【００３１】
また、例えば、前記握持可能な連設部７の外面部を前記開閉蓋８に構成してこの連設部７内に設けた前記墨付部６をこの開閉蓋８により開閉自在に設け、この連設部７の少なくとも先端部に、前記糸巻ドラム１から引き出した前記墨糸３を連設部７外へ外出する外出孔となる前記糸通し部４Ａを設けて前記引出案内部４を構成し、前記開閉蓋８を開放することで前記墨付部６が開放すると共に、前記糸通し部４Ａが開放するように構成し、この糸通し部４Ａの開放部から前記墨糸３を取り出し・装着できるように構成して、糸通し部４Ａに墨糸３を墨付部６の内側から連設部７の外側へと突き通し配設せずとも、開閉蓋８を開放することで開放部から墨糸３を糸通し部４Ａに通し配設し得るように構成すれば、開閉蓋８の開放によって連設部７内の糸通し部４と墨付部６とが同時に開放する構成を簡易に設計実現可能となり、しかも確実に墨糸３を穴に通すような煩わしい作業を要することなく、単に開閉蓋８を開放することだけで墨糸３を糸通し部４Ａに配設することができるため、非常に糸通し作業性に秀れることとなる。
【００３２】
また、例えば、前記墨付部６の前記糸巻ドラム１側の基端部と前記連設部７の先端側の先端部とに夫々前記糸通し部４Ａを設けて、前記糸巻ドラム１から引き出した前記墨糸３をこの各糸通し部４Ａに通し配設することで前記墨付部６を通って案内外出されるように前記引出案内部４を構成し、前記開閉蓋８を開放することで前記墨付部６が開放すると共に、前記各糸通し部４Ａが開放するように構成すれば、墨付部６の基端部と先端部の各糸通し部４Ａによって墨糸３が確実に墨付部６に案内されるため、墨糸３に極めて良好に墨を付着できることになる。
【００３３】
また、例えば、前記連設部７の上面部に設けた前記開閉蓋８を開放することで前記連設部７内の前記墨付部６の上方が開放するように構成し、この開放した墨付部６の周壁部60Ａに上縁から下方にスリットや凹溝などの位置決め凹部を形成して前記引出案内部４の糸通し部４Ａを形成し、この開閉蓋８を開放した際の糸通し部４Ａに、前記糸巻ドラム１から引き出した墨糸３を上方から挿入して通し配設し得るように構成すれば、開閉蓋８の開放によって開放する糸通し部４Ａを簡易に設計実現可能となり、しかも、単に、墨付部６の上方から墨糸３を糸通し部４Ａの開放部に挿入することで通し配設できるため、墨付部６内に収納された墨汁含浸材５に触れないようにして（手を墨で汚さないようにして）墨糸３通し作業を容易に行うことができ、非常に操作性に秀れることとなる。
【００３４】
また、例えば、前記開閉蓋８の裏面部に、前記墨付部６に引き出し案内された墨糸３に接触する前記墨汁含浸材５、又は前記墨付部６内に配した前記墨汁含浸材５に接触案内される墨糸３をこの墨汁含浸材５に押圧する押圧材を設ければ、墨汁含浸材５が墨糸３に挟持接触するか、又は押圧材によって墨汁含浸材５が墨糸３に押圧接触することで、確実に墨糸３に墨を付着させることができる。
【００３５】
また、例えば、前記連設部７の上面部に前記開閉蓋８を設け、この開閉蓋８を開放することで前記連設部７に設けた前記墨付部６の上方が開放するように構成し、前記開閉蓋８を開放することで開放するこの墨付部６に前記墨汁含浸材５を収納し、この墨汁含浸材５の上面部に前記墨糸３が前記引出案内部４の糸通し部４Ａによって引出案内されるように構成し、前記開閉蓋８の裏面にも前記墨汁含浸材５を配設して、開閉蓋８を閉塞した際墨糸３が上下の墨汁含浸材５に挟持接触するように構成し、開閉蓋８を開放した際墨糸３が露出するように構成すれば、墨糸３に挟持接触する墨汁含浸材５によって墨糸３には極めて良好に墨を付着することができ、また、従来の墨壷においても、墨糸を上下の墨汁含浸材で挟持接触させる構成のものはあったが、この上方側の墨汁含浸材が墨付部の開閉部を開放しても墨糸を通す部位を覆ってしまうために、糸通し作業を行うにあたっては墨付部を開放させて墨糸の上方にある墨汁含浸材を手で取り出さなければならず、手を墨で汚してしまうことを余儀なくされていたが、この構成によれば墨糸３上方の墨汁含浸材５が開閉蓋８の開放に伴って上方へ開放移動することになるから、墨汁含浸材５を手で取り出すような作業は不要で、手を汚すことなく容易に糸通し作業を行うことができ、極めて実用的となる。
【００３６】
また、例えば、少なくとも前記開閉蓋８による開放側を開放して前記糸巻ドラム１を露出するカバー部９を前記ドラム収納部２に開閉自在に設け、このカバー部９を開放して露出したドラム収納部２内の糸巻ドラム１から墨糸３の引出端を引き出し、この墨糸３を前記開閉蓋８を開放して開放した前記連設部７内の引出案内部４の糸通し部４Ａに開放側から装着して通し配設し、ドラム収納部２の内側から墨付部６の内側へ並びに墨付部６の内側から連設部７の外側へ貫通配設せずとも、ドラム収納部２のカバー部９及び開閉蓋８を開放することで糸通し部４Ａに開放側から装着してドラム収納部２から引き出す墨糸３を墨付部６を通って外側へ案内外出できるように構成すれば、カバー部９を開放して糸巻ドラム１を露出すると共に開閉蓋８を開放することによって極めて容易に糸通し部４Ａへの糸通し作業を行うことができるので、極めて操作性に秀れることとなる。
【実施例】
【００３７】
本発明の具体的な実施例について図面に基づいて説明する。
【００３８】
本実施例は、糸巻ドラム１を収納するドラム収納部２に握持可能な連設部７を設け、この連設部７内に前記糸巻ドラム１から引き出した墨糸３を案内外出する引出案内部４を設けると共に、この引出案内部４により案内される墨糸３に墨汁を付着させる墨汁含浸材５を収納する墨付部６を設けて、前記引出案内部４に設けた糸通し部４Ａに墨糸３を通して前記糸巻ドラム１から引き出した墨糸３を案内外出させながら、前記墨付部６の墨汁含浸材５に案内接触させることにより墨糸３に墨汁を付着させるように構成し、墨糸３の先端にカルコ10を連結している。
【００３９】
また、本実施例では、糸巻ドラム１に墨糸３を巻き取るときに墨糸３が切断されたりカルコ10が外れたりすることが比較的多い弧巻ゼンマイ（図示省略）を使用した自動巻取式の墨壷に構成している。
【００４０】
また、ドラム収納部２の上部には、図２に示すようにこのドラム収納部２内の糸巻ドラム１を取り出す際に取り外して開放する着脱可能なリング状のカバー部９を装着し、このカバー部９には、糸巻ドラム１を回動可能状態と回動不能状態とに切り替える切替操作部14を設けている。
【００４１】
また、引出案内部４の先端部には墨糸３を巻き取ったときにカルコ10が収納するカルコ収納部11が設けられている。
【００４２】
本実施例では、前記引出案内部４並びに墨付部６を開放する開閉蓋８を前記握持可能な連設部７に起伏開閉自在に設け、この開閉蓋８を開放することで前記引出案内部４の糸通し部４Ａが開放して、この糸通し部４Ａの開放部から前記糸通し部４Ａを通って案内される墨糸３を取り出し・装着自在に構成している。
【００４３】
具体的には、連設部７の上面部に開閉蓋８を設け、この開閉蓋８を開放することで連設部７内に設けた墨付部６の上方が開放するように構成している。
【００４４】
更に詳しくは、連設部７は、ドラム収納部２から略角型棒状に連設突設する形状に形成し、この連設部７の上面部全域を閉塞し得るように、開閉蓋８は略長方形板状に形成している。即ち、図２に示すように開閉蓋８を開放すると、連設部７の上面部全域が露出する構成としている。また、この連設部７とドラム収納部２とは、樹脂製として一体成形している。
【００４５】
また、この開閉蓋８の長手方向の一側縁を連設部７の長手方向の上部一側縁に枢着することで開閉蓋８を連設部７に対し起伏開閉自在に設け、更に、開閉蓋８の長手方向の他側縁には係止爪部15を垂設する一方、この係止爪部15が係合する係合段部16を連設部７の長手方向の他側面に形成して、この係止爪部15を係合段部16に弾圧係合することで開閉蓋８の閉塞状態を維持でき、係止爪部15をその弾圧係合力に抗して係合段部16より係脱することで開閉蓋８を開放できる構成としている。
【００４６】
尚、本実施例では、開閉蓋８が起伏開閉する開閉構造を採用したが、これに限定されるものではなく、スライド開閉構造や着脱開閉構造やその他の開閉構造を採用しても良い。
【００４７】
また、連設部７は、上面部が開放するケース状に形成し、先端側を除いた部位の方形状の収納凹部60内に墨汁含浸材５を収納して前記墨付部６を構成している。
【００４８】
また、この収納凹部60の周壁部60Ａの内側には、収納した墨汁含浸材５と略面一高さの面となる段差面60Ｂを形成している。
【００４９】
また、本実施例では、前記墨付部６の前記糸巻ドラム１側の基端部と前記連設部７の先端側の先端部とに夫々前記糸通し部４Ａを設けて、前記糸巻ドラム１から引き出した前記墨糸３をこの各糸通し部４Ａに通し配設することで前記墨付部６内を通って案内外出されるように前記引出案内部４を構成している。
【００５０】
具体的には、墨付部６の周壁部60Ａの基端部中央と先端部中央位置とに、夫々この周壁部60Ａの上縁から下方の前記段差面60Ｂに至る部位まで位置決め凹部たるスリット状の凹溝を形成し、この位置決め凹部を引出案内部４の糸通し部４Ａとしている。
【００５１】
また、本実施例では、墨付部６先端部の糸通し部４Ａより、連設部７の更に先端側位置にもスリット状の位置決め凹部を形成してこの位置決め凹部も糸通し部４Ａとして機能するように構成し、この位置決め凹部より先端側は前記カルコ収納部11に連通してこのカルコ収納部11から墨糸３が連設部７の先端側外方へ引き出される構成としている。
【００５２】
従って、前記開閉蓋８を開放することで前記墨付部６の上部が開放すると共に、前記各糸通し部４Ａ（位置決め凹部）が開放するように構成し、この各位置決め凹部の上部開放部に、糸巻ドラム１から引き出した墨糸３を上方から挿入して墨汁含浸材５の上面部に配設し得るように構成している。
【００５３】
また、本実施例の前記収納凹部60，糸通し部４Ａ，カルコ収納部11，係合段部16は、連設部７とドラム収納部２とを樹脂成形する際に同時に成形している。従って、本実施例の連設部７及びこの連設部７に設ける各部の構成は簡易に設計実現可能であり、量産性に秀れる。
【００５４】
また、墨付部６の基端部側（ドラム収納部２側）となる周壁部60Ａの外側に、この基端部側の糸通し部４Ａたる位置決め凹部と近接状態にして滑らかな糸接触面を持つガイド体22を立設し、このガイド体22によって墨糸３が基端側の糸通し部４Ａに対し擦れにくいように案内されて墨糸３が切断されにくくなるように構成している。
【００５５】
また、本実施例では、開閉蓋８の裏面部に、前記墨付部６に引出案内された墨糸３に接触する墨汁含浸材５を配設している。
【００５６】
具体的には、図５に示すように、開閉蓋８の裏面部に略方形状の収納凹部17を形成し、この収納凹部17に墨汁含浸材５を収納配設している。
【００５７】
また、この収納凹部17の対向面部には、その対向内側に向かって脱落防止ストッパ部18としてストッパ板18を突設し、このストッパ板18が収納凹部17内に収納した墨汁含浸材５の下面を当接支承して墨汁含浸材５が収納凹部17より脱落しないように支持している。
【００５８】
また、この収納凹部17の周壁部17Ａの基端部中央と先端部中央位置とには、夫々この周壁部17Ａの下縁から上方へスリット状の凹溝21を形成し、開閉蓋８閉塞時にはこの各凹溝21に墨糸３が配設して糸通し部４Ａに装着された墨糸３を上方から押え込み、墨糸３が上方へ抜け止め状態となるように構成している。尚、この凹溝21は、開閉蓋８閉塞時に実質的に糸通し部４Ａとして機能するものである。
【００５９】
また、この周壁部17Ａの先端部の凹溝21よりも更に開閉蓋８の先端側位置に突起を形成すると共に、この突起にも墨糸３に上方から配設するスリット状の凹溝21を形成している。
【００６０】
また、この周壁部17Ａの外側に、この周壁部17Ａを囲繞するようにして垂下長のない隔壁23を設け、この隔壁23と周壁部17Ａとの間にパッキン19を装着し、このパッキン19が開閉蓋８閉塞時に前記段差面60Ｂに密着当接して収納凹部60並びに収納凹部17を密閉し、これにより上下に配された墨汁含浸材５の墨が連設部７から外部へ漏出しない構成としている。
【００６１】
また、開閉蓋８を閉塞した際、本実施例では隔壁23より下方へ長く垂設する周壁部17Ａの下縁部が収納凹部60の段差面60Ｂよりも下方へ挿入されて漏止壁として機能し、収納凹部60並びに収納凹部17内からの墨漏防止効果が向上する構成としている。
【００６２】
また、この開閉蓋８の上面部には、押しボタン20を設け、この押しボタン20を押動降下させることにより、押しボタン20に連設した押圧材（図示省略）が収納凹部17内の墨汁含浸材５を下方の糸通し部４Ａに配設されている墨糸３に押し付け当接させて、墨汁含浸材５の墨を墨糸３に良好に付着させることができる構成としている。
【００６３】
また、本実施例の開閉蓋８は樹脂製とし、この開閉蓋８を樹脂成形すると同時に前記係止爪部15，収納凹部17，凹溝21，隔壁23を一体成形している。従って、本実施例の開閉蓋８及びこの開閉蓋８に設ける各部の構成は簡易に設計実現可能であり、量産性に秀れる。
【００６４】
以下に、本実施例における糸通し方法を説明する。尚、本実施例では、墨糸３の自動巻取時に、墨糸４とカルコ６との連結が外れてしまい、糸巻ドラム１に墨糸３が全部巻回されてしまった場合を想定している。
【００６５】
先ず、図２に示すように、カバー部９を取り外してドラム収納部２を分解すると共に開閉蓋８を開放し、露出した糸巻ドラム１から墨糸３の先端部を引き出す。尚、図面では、既に引き出した墨糸３の先端部をカルコ10に連結した場合を示しているが、糸通し作業が全て終了してから墨糸３先端部にカルコ10を連結しても良い。
【００６６】
次いで、この引き出した墨糸３を、開閉蓋８の開放によって開放する糸通し部４Ａに、例えば、図３に示すように墨糸３を墨付部６の基端部の糸通し部４Ａの開放部に上方から装着してから、墨付部６の先端部の糸通し部４Ａに装着することで、墨糸３を元通り墨付部６（墨汁含浸材５）上に配設し直すことができる（図４参照）。尚、先に先端部の糸通し部４Ａに墨糸３を装着してから基端部の糸通し部４Ａに装着するようにしても良い。また、図３ではドラム収納部２に糸巻ドラム１を装着した状態で糸通し作業を行った場合を示し、図４では糸巻ドラム１を装着しない状態での糸通し作業を示しているが、どちらの方法で行っても良い。
【００６７】
次いで、カバー部９を装着してドラム収納部２を元通りに組み上げ（図５参照）、開閉蓋８を閉塞することで糸通し部４Ａも閉塞して墨糸３は取り出し不能状態となり（図１参照）、糸通し作業が完了する。
【００６８】
従って、従来例のような糸通し体は使用することなく、単に、ドラム収納部２を分解（開放）すると共に開閉蓋８を開放することで糸通し部４Ａへの糸通し作業を容易に行うことができる。
【００６９】
また、本実施例では、上記したように連設部７及び開閉蓋８は容易に設計実現可能であると共に、墨付部６の開閉部が部分的にしか開放しない従来品に対して、連設部７の上面部全域が開閉蓋８によって開放するように構造変更を施し、更に開閉蓋８の開放によって糸通し部４Ａが全て開放するように構成するだけで本実施例の墨壷は実現できるため、実現化が容易で量産性にも秀れることになる。
【００７０】
また、本実施例では、図６に示すように、連設部７若しくは開閉蓋８の先端部に、この連設部７から引き出された墨糸３を地面などの墨付部位に当接させる墨糸押え部12を墨糸引出し方向に突設すると共に、この墨糸押え部12は、連設部７若しくは開閉蓋８の先端部より出入スライド移動自在に設けている。
【００７１】
従って、この墨糸押え部12を使用しないときには、引出案内部４の内方へ没入させておくことができるように構成している。
【００７２】
従来の墨糸押え部を備えた墨壷にあっては、この墨糸押え部を出入させる機能をもったものはなく、常に連設部より先端側へ突設しているものであった。
【００７３】
ところが、この墨糸押え部は、使用したくない場合があったり、職人によっては使用したくない者もいるため、このような場合には邪魔になってしまうという欠点があった。
【００７４】
本実施例では、この点を解決したもので、上記したように、墨糸押え部12を使用しないときには、引出案内部４の内方へ没入させておくことができる墨壷としている。
【００７５】
また、この墨糸押え部12は、握持可能な連設部７を握持した手の指（例えば人差し指）で操作し得るように、引出案内部４先端部への形成位置を設定構成している。従って、連設部７を握持した手の指で、この墨糸押え部12を簡易に出入スライド操作することができる。
【００７６】
また、この墨糸押え部12には、この墨糸押え部12と連動する押動操作部13を設け、この押動操作部13を押動することで墨糸押え部12を出入スライド移動させることができ、押動操作部13を押動することをやめれば（押動操作部13から指を離せば）、墨糸押え部12が位置決めされる構成としている。従って、単に押動操作部13を例えば連設部７を握持した手の指で押圧しながら簡単に墨糸押え部12を出入スライド移動操作することができるし、位置決めも押動操作部13を押動することをやめるだけで良いので、非常に操作性に秀れる。
【００７７】
また、更に説明すると、図７に示すように、墨糸押え部12は帯板状として先端縁と先端側左右縁とに墨糸３を保持する保持凹部12Ａを形成し、基端部に押動操作部13を連設した構成としている。
【００７８】
一方、開閉蓋８の先端部に、この開閉蓋８の長さ方向沿って取付溝部24を形成し、この取付溝部24に、この取付溝部24から押動操作部13を開閉蓋８の上面部より上側に突出させた状態で墨糸押え部12を配設し、更に、この墨糸押え部12の下方に支持体27を配設固定して、この支持体27と開閉蓋８との間で墨糸押え部12が取付溝部24に沿ってスライド自在となるように設けている。尚、この取付溝部24は、開閉蓋８の樹脂成形時に同時に成形する構成として製作容易性を確保している。
【００７９】
また、この押動操作部13は、弾性体28（コイルバネ）によって常に上方へ突出する方向に付勢される構成とし、これにより押動操作部13を押動することをやめれば、押動操作部13は自動的に上動復帰して位置決め状態となる構成としている。
【００８０】
また、このスライド・位置決め構造は、図７，図８に示すように、押動操作部13の下部に係止凸部13Ａを設ける一方、取付溝部24近傍の開閉蓋８裏面部の数箇所（図面では二箇所）に係合凹部29を設け、常態では、前記弾性体28の付勢力によって係止凸部13Ａが係合凹部29に係合して墨糸押え部12が位置決め状態となり（図７の（ａ）並びに図８の（ａ），（ｃ）参照）、この弾性体28の付勢力に抗して押動操作部13を押動すると係合凹部29から係止凸部13Ａが係脱して（図７の（ｂ）並びに図８の（ｂ）参照）この押動操作部13ごと墨糸押え部12を出入スライド移動させることができ、押動操作部13を押動することをやめれば押動操作部13が自動上動復帰すると共に、係合凹部29に係止凸部13Ａが係合して墨糸押え部12が位置決めされる（図７の（ａ）並びに図８の（ｃ），（ａ）参照）構成としている。従って、このスライド・位置決め構造は簡易に設計実現可能な構成であり、量産性に秀れる。
【００８１】
また、本実施例では、墨糸押え部12が完全に開閉蓋８の中に没した位置（図８の（ａ））と、墨糸押え部12が開閉蓋８の先端より外側へ最も突出した位置（図８の（ｂ））とで前記係合凹部29に係止凸部13Ａが係合して墨糸押え部12が位置決めされる構成とし、使用時及び不使用時でこの墨糸押え部12を確実に位置決めできる構成としている。
【００８２】
また、本実施例では、引出案内部４の側部に固定用凹部25を設け、この固定用凹部25に細長い薄板状の墨糸引き弾き具26を着脱自在に設けている。この墨糸引き弾き具26は、墨付時に墨糸３に手で直接触れることなく墨糸３を引き弾くことができる構成としている。
【００８３】
尚、本発明は、本実施例に限られるものではなく、各構成要件の具体的構成は適宜設計し得るものである。
【図面の簡単な説明】
【００８４】
【図１】本実施例を示す斜視図である。
【図２】本実施例のドラム収納部と開閉蓋を開放し、糸巻ドラムから引き出した墨糸をカルコに連結して糸通し部に配設する前の状態を示す斜視図である。
【図３】図２の状態から、墨糸を墨付部の基端部の糸通し部にだけ装着した状態を示す説明斜視図である。
【図４】図３の状態から墨付部の先端部の糸通し部にも墨糸を装着して墨糸通し配設を完了した状態を示す説明斜視図である。
【図５】図４の状態からドラム収納部を閉塞した（組み上げた）状態を示す斜視図である。
【図６】本実施例の墨糸押え部の使用状態を示す説明斜視図である。
【図７】墨糸押え部の出入構造を示す部分拡大説明正断面図である。
【図８】墨糸押え部の出入構造を示す部分拡大説明側断面図である。
【符号の説明】
【００８５】
１  糸巻ドラム
２  ドラム収納部
３  墨糸
４  引出案内部
４Ａ  糸通し部
５  墨汁含浸材
６  墨付部
60Ａ  周壁部
７  糸通し部
８  開閉蓋
９  カバー部
18 脱落防止ストッパ部（ストッパ板）
20 押しボタン